(57)【要約】【目的】ホットストリップミルの仕上圧延機において、出側に板幅方向の板厚測定器を設置して、圧延中に仕上圧延機の出側における板幅方向の板厚差を希望値に制御する。【構成】ホットストリップミル仕上圧延機で出側に板幅方向の板厚測定器を設置し、圧延中に板幅中央と板幅各部の板厚差の測定値と希望値との誤差を各スタンドに分配し板幅方向の板厚差遺伝係数を用いて、板幅全体として誤差が零になるように制御する、または板幅中央と作業側の板幅各部の板厚差と、板幅中央と駆動側の板幅各部の板厚差とを独立に制御する。さらに、これらの組み合わせもある。【効果】ホットストリップミルの仕上圧延機の出側において、板幅方向各部の板厚差を従来よりも正確にまた精密に制御できる。【選択図】図３
2009000742.tif 000002
【特許請求の範囲】
【請求項１】
板幅方向の板厚測定器を出側に設置し、各スタンドに板幅方向の板厚差制御操作端（アクチュエータということもある）を有するホットストリップミルの仕上圧延機（タンデムミル）において、仕上圧延機の出側における板幅方向の板厚差（板幅中央の板厚と板幅各部の板厚との差）希望値と測定値の誤差を、別途実施する形状設定計算で求めた各スタンド毎の板幅方向の板厚比係数と板幅方向中央での板厚と板幅方向の板厚差遺伝係数とを用いて、各スタンドの出側における板幅方向の板厚差制御量に分配することにより、仕上圧延機出側における板幅方向の板厚差を希望値に制御する方法。
【請求項２】
板幅方向の板厚測定器を出側に設置し、各スタンドに板幅方向の板厚差制御操作端（アクチュエータということもある）を有するホットストリップミルの仕上圧延機（タンデムミル）の各スタンドにおいて、［請求項１］で求めた各スタンドの出側における板幅方向の板厚差制御量から、板幅全体に亘って、板幅方向の板厚差制御操作端とその影響係数を用いて、最小二乗法により操作端の操作量求めることにより、仕上圧延機の出側における板幅方向の板厚差を希望値に制御する方法。
【請求項３】
板幅方向の板厚測定器を出側に設置し、各スタンドに板幅方向の板厚差制御操作端（アクチュエータということもある）を有するホットストリップミルの仕上圧延機（タンデムミル）各スタンドにおいて、［請求項１］で求めた各スタンドの出側における板幅方向の板厚差制御量から、板幅中央から作業側では、板幅方向の板厚差制御操作端とその影響係数を用いて、最小二乗法により操作端の操作量求めることにより、また、板幅中央から駆動側では、板幅方向の板厚差制御操作端とその影響係数を用いて、最小二乗法により操作端の操作量求めることにより、作業側と駆動側とで独立に板幅方向の板厚差を制御して、仕上圧延機の出側における板幅方向の板厚差を希望値に制御する方法。
【請求項４】
板幅方向の板厚測定器を出側に設置し、各スタンドに板幅方向の板厚差制御操作端（アクチュエータということもある）を有するホットストリップミルの仕上圧延機（タンデムミル）各スタンドにおいて、［請求項１］で求めた各スタンドの出側における板幅方向の板厚差制御量から、板幅全体に亘っては板幅全体に作用する操作端を用いて、板幅中央から作業側と板幅中央から駆動側ではそれぞれ独立に作用する操作端を用いて、それぞれの操作端とその影響係数を用いて最小二乗法により操作量を求めることにより板幅方向の板厚差を制御することにより、仕上圧延機の出側における板幅方向の板厚差を希望値に制御する方法。
【発明の詳細な説明】
【発明の詳細な説明】
【産業上の利用分野】
【０００１】  本発明は金属等を圧延するホットストリップミルに係わり、特に仕上圧延機の出側における板幅方向の板厚差を希望値に制御するための板幅方向の板厚差制御方法に関する。
【背景技術】
【０００２】  ホットストリップミルの仕上圧延機（タンデムミル）における圧延中の板クラウン制御については、公開特許公報（Ａ）、平３−１９３２０６（以下資料１とする）、特許第３４３２３８１号（以下資料２とする）、特許第３８３１７１１号（以下資料３とする）、特許第３８３１７１２号（以下資料４とする）、特許第３８４４４７０号（以下資料５とする）に記載されている。資料１から５は板クラウンの制御であった。つまり、板クラウンは図１に示すように板幅中央の板厚と、板幅方向で作業側端部と駆動側端部の平均板厚との差であり、３点の板厚であるため、板幅全体にわたる板厚差の制御ではなかった。また、板幅中央から作業側の板厚差と板幅中央から駆動側の板厚差は対称である場合は少なく、異なることが多いという知見が得られたが、従来の板クラウン制御では板幅方向で作業側端部と駆動側端部の平均をとっているため、これらの区別ができなかった。また、従来は板幅中央から作業側と板幅中央から駆動側との板幅方向の板厚差をそれぞれ独立に制御することは行われていなかった。
【発明が解決しようとする課題】
【０００３】  従来技術は板クラウンの制御であった。つまり、板幅方向に板幅中央部の板厚と、作業側端部板厚と駆動側端部板厚との差を板クラウンとして圧延中に制御していた。ホットストリップミルでの板幅は、たとえば、６００から２０００（ｍｍ）と広いので、板クラウン制御における板幅方向３点の制御では不足であり、板幅全体に亘っての板厚差制御が課題である。また、板幅全体にわたる板幅方向の板厚差を制御することはひとつの課題であるが、さらに板幅中央から作業側の板幅方向の板厚差と、板幅中央から駆動側の板幅方向の板厚差は異なることが多いという知見が得られたので、これらをそれぞれ独立に制御することはもう一つの課題である。
【課題を解決するための手段】
【０００４】  ［請求項１］に記載の手段は、板幅方向の板厚測定器を出側に設置し、各スタンドに板幅方向の板厚差制御操作端（アクチュエータということもある）を有するホットストリップミルの仕上圧延機（タンデムミル）において、仕上圧延機の出側における板幅方向の板厚差（板幅中央の板厚と板幅方向各部の板厚との差）希望値と測定値との誤差を、まず第１に各スタンドの出側における板幅方向の板厚差誤差に分配する。これは別途形状設定計算で求めた各スタンドにおける板幅方向の板厚比係数と板幅中央部の板厚とを用いて演算するが、板幅方向の板厚比係数は仕上圧延機のスタンド間で板平坦度が良好になるように求める。第２に以上で求めた各スタンドの出側における板幅方向の板厚差誤差から各スタンドにおける板幅方向の板厚差制御量を求める。各スタンドの出側における板幅方向の板厚差誤差は当該スタンドにおける板厚差制御量と、前スタンド（入側スタンド）の出側における板幅方向の板厚差誤差に当該スタンドの板厚差遺伝係数を乗じたものとの和になる。したがって、仕上圧延機の第１スタンドでは、前スタンド（入側スタンド）の出側における板幅方向の板厚差誤差はトランスファーバーのものになるが、これは別途実測するかまたは鋼種、板幅、板厚で決まる簡単なモデル式で求めることができるので、
これを用いて第１スタンドにおける板幅方向の板厚差制御量を求める。この結果を第２スタンドに適用すれば、第２スタンドにおける板幅方向の板厚差制御量が求まる。これを同様に順次最終スタンドまで演算して、仕上圧延機全スタンドにおける板幅方向の板厚差制御量が求まる。
［請求項２］に記載の手段は、［請求項１］で求めた仕上圧延機各スタンドでの板幅方向の板厚差制御量を実現するための各スタンドでの操作端の操作量を求める手段である。ここでは、板幅全体にわたっての板幅方向の板厚差制御に係わるものである。各スタンドの操作端はいろいろなものがある。例えば、上バックアップロールとワークロール、下バックアップロールとワークロールを一対（ペア）にしてクロスさせるもの（以下ペアクロスという）、ボトル状のロールを上下対称に配置して、板幅方向にシフトするもの（以下ロールシフトという）で板幅全体に作用する操作端の例であり、ロールベンド力によるものや圧下レベリングによるもので板幅全体に作用もできるが板幅中央から作業側と板幅中央から駆動側とで独立にも作用できる操作端の例であり、またロールの局部冷却によるものなどである。したがって、これらのいずれか一つの操作端、または複数の操作端の組み合わせにおいて、各操作端の操作量を求める手段を提供する。すなわち、［請求項１］で求めた各スタンドの板幅方向全体としての板幅方向の板厚差制御量は、各スタンドにおける各々の操作量に影響係数を乗じたものの和になる。したがって、板幅方向全体に対する最小二乗法により各スタンドにおける板幅方向の各々の操作量を求めることができる。
［請求項３］に記載の手段は、［請求項１］で求めた仕上圧延機各スタンドでの板幅方向の板厚差制御量を実現するための各スタンドでの操作端の操作量を求める手段である。ここでは、板幅中央から作業側と板幅中央から駆動側とをそれぞれ独立に制御する手段である。各スタンドの操作端のうち、板幅方向全体に作用する操作端で例えばペアクロス、ロールシフトなどは作業側と駆動側を独立に制御できないので［請求項２］の手段を用いるが、ロールベンド力、圧下レベリング、ロールの局部冷却などは作業側と駆動側で夫々独立の操作端が可能である。したがって、これらの操作端のうち単数または複数を用いた手段を提供する。すなわち、［請求項１］で求めた各スタンドの板幅方向の板厚差制御量のうち、板幅中央から作業側のものは作業側における板幅方向の板厚差制御操作端の制御量に影響係数を乗じたものの和となる。したがって、作業側での板幅方向に対する最小二乗法により作業側での各スタンドにおける各々の板幅方向の板厚差操作端の操作量を求めることができる。駆動側においては作業側と同様にして駆動側での各スタンドにおける各々の板幅方向の板厚差制御操作端の操作量を求めることができる。
［請求項４］に記載の手段は、［請求項１］で求めた仕上圧延機各スタンドでの板幅方向の板厚差制御量を実現するための各スタンドでの操作端の操作量を求める手段である。ここでは、［請求項２］と同様に板幅全体に作用する操作端を用いて板幅全体における板幅方向の板厚差を制御し、この制御による残りの板幅方向の板厚差を［請求項３］と同様に作業側と駆動側で独立に作用する操作端を用いて作業側と駆動側における板幅方向の板厚差をそれぞれ独立に制御する。
【作用】
【０００５】  本発明ではホットストリップミルの仕上圧延機の出側に板幅方向の板厚測定器を設置して圧延中にこれを測定する。これより板幅中央と板幅各部の板厚の差を求め（板厚差という）、希望値との誤差をとり、この誤差を仕上圧延機の各スタンドに分配して制御し、仕上圧延機出側の板幅方向の板厚差を希望値に制御するものである。まず、板を仕上圧延機に通板し仕上圧延機の出側で板幅方向の板厚を測定する。これより板幅方向の板厚差を求めて、希望値との誤差をもとめ、この誤差を仕上圧延機の各スタンドに分配する。この分配方法はスタンド間の板平坦度が良好になるように、別途形状設定計算で求めた板幅方向の板厚比係数を用いる。つぎに、板幅方向の板厚差遺伝係数を用いて、各スタンドでの板幅方向の板厚差制御量を求める。そして、各スタンドではこの板厚差制御量を実現するための板厚差制御操作端の操作量を求める。操作端は例えば、ペアクロス、ロールシフト、ロールベンド、圧下レベリング、ロールの局部冷却などがある。板幅方向の板厚差制御を実施するには３通りの方法がある。ひとつは板幅全体に亘って板幅方向の板厚差を制御するものであり、二つ目は板幅を中央から作業側と駆動側にわけてそれぞれ独立に板厚差を制御するものである。三つ目はこれらの組み合わせである。いずれにおいても各スタンドでは各々の操作端の操作量に影響係数を乗じたものの和が板幅方向の板厚差制御量になるから、最小二乗法を用いて各々の操作量を求める。これらの操作量を各スタンドの操作端に印加して板幅方向の板厚差を希望値に制御する。板の制御された部分は仕上圧延機の第１スタンドでの制御点が仕上圧延機の出側の板幅方向の板厚測定器に到達すれば制御結果がわかる。したがって、つぎに上記の測定と制御を繰り返す。これは板が仕上圧延機を尻抜けするまで繰り返す。このようにして、圧延中の制御により、仕上圧延機の出側における板幅方向の板厚差を希望値に制御する。
【実施例】
【０００６】  以下本発明の実施例について図面を参照しながら詳細に説明する。
まず、［請求項１］について説明する。図１は従来技術における板クラウンを定義するものである。６は圧延された板の断面で、１は板幅中央の板厚、２は作業側端部の板厚、３は駆動側端部の板厚、４は板幅、５は圧延方向を示す。板クラウンは、
2009000742.tif 000003
で定義される。ここで、Ｃは板クラウン、ｈＭは板幅中央の板厚、ｈＷＳは作業側板幅端の板厚、ｈＤＳは駆動側板幅端の板厚である。板幅端は一般に板幅エッジから２５、ないし４０（ｍｍ）を用いている。従来技術では、（１）式で示す板クラウンの圧延中における制御であった。
図２は本発明に係わる板幅方向の板厚を示したものである。板幅４を（２Ｎ）等分している。分割された板幅は任意でいいが、例えば、１０（ｍｍ）または２０（ｍｍ）などである。本発明はこれらの（２Ｎ）個に分割した板幅における板厚差を制御することであり、これを板幅方向の板厚差制御とよぶ。
板幅方向の板厚差は、
Ｃｊ＝ｈＭ−ｈｊ              （２）
で定義する。ここで、ｊは作業側から駆動側に向かって、（２Ｎ）個に分割した番号であり１から（２Ｎ）、Ｃｊは板幅方向の板厚差、ｈＭは板幅中央の板厚、ｈｊはｊ番目の板厚である。また、板幅中央の板厚は
2009000742.tif 000004
である。
図３は本発明の１実施構成例である。仕上圧延機の数は任意でいいが、ここでは７スタンドの場合をしめす。仕上圧延機の出側には板幅方向の板厚測定器３３を設置して、板幅方向の板厚ｈｊ（ｊは１から（２Ｎ））を測定する。
さて、仕上圧延機では圧延命令２８から圧延の仕様が与えられ、ミル設定計算２９で圧延前に仕上圧延機各スタンド１１から１７の出側における板厚中央部の板厚を求める。そしてその他の演算を行って、各スタンドのロール間隙とロール周速を求める。ミル設定計算２９で求めた各スタンドの出側における板幅中央部の板厚は形状設定計算３０に印加する。形状設定計算３０では仕上圧延機の入側板（トランスファーバーという）１８の板幅方向の板厚差から仕上圧延機出側板１９の希望する板幅方向の板厚差に至る、各スタンド出側での板幅方向の板厚差希望値を求める。これを板幅方向の板厚差スケジュールとよぶ。トランスファーバーの板幅方向の板厚差は別途実測するかまたは鋼種、板幅、板厚で決まる簡単なモデル式で求めることができる。さて、板幅方向の板厚差スケジュールは無数にあるが、一般には仕上圧延機各スタンド間で板平坦度が良好になるように求めるのが普通である。このようにして求めた板幅方向の板厚差スケジュールは
2009000742.tif 000005
となる。ここでｉはスタンド番号であり１から６、ｊは板幅方向の分割番
2009000742.tif 000006
たものである。また、仕上圧延機の最終スタンド１７の出側では、圧延命令２８から与えられた板幅方向の板厚差の希望値は、
2009000742.tif 000007
となる。（４）、（５）式から、各スタンドで、
2009000742.tif 000008
で定義する板幅方向の板厚比係数Ｋｉ，ｊを求める。ここで、ｉは１から６、ｊは１から（２Ｎ）である。また、最終スタンド１７では、Ｋ７，ｊ＝１．０である。
このようにして求めた板幅方向の板厚比係数と最終スタンド１７出側での板幅方向の板厚差の希望値を形状設定計算から、本発明に係わる板幅方向の板厚差制御装置３１に印加する。板厚差制御装置３１では次の演算を行う、
まず、トンンスファーバーを仕上圧延機１１から１７に通板して、板先端が出側の板幅方向の板厚測定器３３に到達すると第１回目の測定値を板幅方向の板幅差制御装置３１に印加する。そして、３１ではまずこの測定値から仕上圧延機出側での板幅方向の板厚差を次の式で求める。
2009000742.tif 000009
ここで、ＭＥＡＳは測定値を示す。ｊは１から（２Ｎ）である。
（５）式、（７）式から、仕上圧延機出側における板幅方向の板厚差誤差を求める。
2009000742.tif 000010
ここで、ΔＣ７，ｊは仕上圧延機出側における板幅方向の板厚差誤差である。つまり、希望値からの誤差である。
つぎに、（８）式の仕上圧延機出側における板幅方向の板厚差誤差を各スタンド出側に分配する。つまり、（６）式で求めた板幅方向の板厚比係数Ｋｉ，ｊを用いて、
2009000742.tif 000011
タ式で求めることができる。ΔＣｉ，ｊは各スタンド出側での板幅方向の板厚差誤差である。また、このようにして求めた仕上圧延機１１から１７の出側における板幅方向の板厚差誤差が零に制御できれば、仕上圧延機の出側において板幅方向の板厚差が希望値になる。また、（９）式による各スタンドへの誤差の分配方法により、仕上圧延機各スタンド間の板平坦度が良好に保たれるのも本発明の一つの特徴である。
さて、従来技術である板クラウンについて、板クラウンは（１）式で定義されているが、仕上圧延機の任意のスタンドの出側における板クラウンは、
Ｃ＝αＰ・Ｐ＋αθ・θ＋αＢ．ＦＢ＋αＷＲ・ＣＷＲ＋αＬ・Ｌ＋η・ＣＩＮ          （１０）
であることが、例えば、「板圧延の理論と実際」、日本鉄鋼協会、１９８４年（以下資料６とする）に記載されている。ここで、Ｃはスタンド出側の板クラウン、Ｐは全圧延荷重、θは例えばペアクロス角またはロールシフト量、ＦＢはワークロールベンド力、ＣＷＲはワークロールクラウン、Ｌは圧下レベリング、ＣＩＮはスタンド入側板クラウン、影響係数αは、例えば資料６の方法で求められる、またηは周知の板クラウン遺伝係数である。
ところで、本発明の板幅方向の板厚差は板クラウンを板幅全体に亘って拡張したものである。したがって、本発明は（１０）式を拡張して、仕上圧延機の任意のｉスタンド出側において、板幅方向の板厚差を、
2009000742.tif 000012
のようにすることが特徴である。ここで、ｉはスタンド番号で１から７、ｊは板幅方向の分割番号で１から（２Ｎ）、Ｃｉ，ｊは板幅方向の板厚差、Ｐｉは全圧延荷重、θｉは板幅全体に作用する例えばペアクロス角またはロールシフト量であり、
2009000742.tif 000013
ロール直径でロールの局部冷却などでかわる。また、Ｃｉ−ｌ，ｊはスタンド入側での板幅方向の板厚差、影響係数αは例えば資料６記載の方法で板の変形と圧延機の変形を連立して求められる、また、ηｉ，ｊは板幅方向の板厚差遺伝係数である。板幅方向の板厚差遺伝係数は、例えば、本郷祐一・梁井俊男・常田弘：熱間圧延機の幅方向のクラウン比率遺伝特性を活用したクラウン制御の検討：、塑性と加工、第３８巻、第４３３号（１９９７−２）、（以下資料７とする）に記載されている。
2009000742.tif 000014
（１１）式の微小変化Δをとると、
2009000742.tif 000015
となる。操作端の操作量のみによるｉ  スタンド出側での板幅方向の板厚差制御
2009000742.tif 000016
2009000742.tif 000017
である。
一方、（９）式で求めた板幅方向の板厚差誤差ΔＣｉ，ｊを、
2009000742.tif 000018
と置く。ここで、ｉは１から７である。
（１２）、（１３）、（１４）式から、全圧延荷重は操作できないので省くと、
2009000742.tif 000019
をうる。ここで、ｉは１から７である。（１５）式はｉスタンド出側における板幅方向の板厚差誤差は当該スタンドにおける板幅方向の板厚差制御量と、前スタンドつまり（ｉ−ｌ）スタンド出側における板幅方向の板厚差誤差に板幅方向の板厚差遺伝係数を乗じたものとの和になることを示している。仕上圧延機の第１スタンドから順番に各スタンドで（１５）式を書くと、
2009000742.tif 000020
向の板厚差であり、前述のように別途実測するかまたはモデル式で求めることが
2009000742.tif 000021
圧延機出側における板幅方向の板厚差誤差である。したがって、例えば、（１６）式
2009000742.tif 000022
最終スタンドまで演算して、仕上圧延機各スタンドにおける板幅方向の板厚差制御量をもとめることができる。これらの値を用いて、［請求項２］または［請求項３］または［請求項４］にしたがって制御を行う。第１回目の制御結果は第１スタンド１１での制御された部分が仕上圧延機の出側に設置した板幅方向の板厚測定器３３に到達すればわかるので、同様に第２回目の測定と制御を繰り返す。同様のことを板が仕上圧延機を尻抜けするまで繰り返す。以上が［請求項１］である。
つぎに、［請求項２］について説明する。［請求項２］では図３における板幅方向の板厚差制御装置３１で、板幅全体にわたる板厚差を制御するための操作量を求める。特に、２１から２７に示した操作端のうち、ワークロールベンド力は１スタンドあたり１個の油圧弁で作業側と駆動側を同じ値で操作し、圧下レベリングは作業側と駆動側で符号が逆の同じ値を用いる。
まず、トランスファーバー１８を仕上圧延機１１から１７に通板し、板幅方向の板厚測定器３３で板幅方向の板厚を測定する。板幅方法の板厚差制御装置３１では以下の演算をする。まず、［請求項１］で述べた各スタンドにおける板幅方向
2009000742.tif 000023
ンドで、
2009000742.tif 000024
の評価式を定義する。ここで、ｉは１から７である。これは板幅方向の板厚差制御量を最小二乗法により実現する各操作量を求めるものである。
2009000742.tif 000025
より、板幅方向全体に作用する例えばペアクロス角またはロールシフト量の操作
2009000742.tif 000026
以上の操作量から（１３）式を用いて、
2009000742.tif 000027
2009000742.tif 000028
操作量はすべてを用いることや任意のものを単数または複数用いることもできる。以上で求めた操作量を夫々操作端２１から２７に印加して板幅方向の板厚差を制御する。
つぎに、これらの制御結果は第１スタンド１１での制御部分が板幅方向の板厚測定器３３に到達した時点で判明する。したがって、全く同様にして、次の測定と制御を行い、板が仕上圧延機を尻抜けするまで繰り返す。
以上が［請求項２］である。
つぎに、［請求項３］について説明する。［請求項３］では図３における板幅方向の板厚差制御装置３１で、板幅中央から作業側での板厚差と板幅中央から駆動側での板厚差とをそれぞれ独立に制御するための操作量を求める。特に、２１から２７に示した操作端のうち、ワークロールベンド力は１スタンドあたり作業側と駆動側で各々１個の油圧弁を用いて操作し、圧下レベリングは作業側と駆動側で独立に操作する。
まず、トランスファーバー１８を仕上圧延機１１から１７に通板し、板幅方向の板厚測定器３３で板幅方向の板厚を測定する。板幅方法の板厚差制御装置３１では以下の演算をする。まず、［請求項１］で述べた各スタンドにおける板幅方向
2009000742.tif 000029
ンドで、板幅中央から作業側では、
2009000742.tif 000030
の評価式を定義する。ここで、ｉは１から７である。また、ＷＳは作業側を示す。これは板幅方向の板厚差制御量を最小二乗法により実現する各操作量を求めるものである。
2009000742.tif 000031
とする。また、
2009000742.tif 000032
（１３）式でΔθｉ＝０、つまり板幅全体に作用する操作端、例えばペアクロス角またはロールシフトは作業側と駆動側とで独立して動かせないことを考慮して、
2009000742.tif 000033
ワークロールの局部冷却などで実施する。
2009000742.tif 000034
複数用いることができる。
板幅中央から駆動側では、ｊを（Ｎ＋１）から（２Ｎ）として全く同様の演
2009000742.tif 000035
以上で求めた操作量を各々各スタンドの操作端２１から２７に印加して、板幅方向の板厚差を作業側と駆動側とでそれぞれ独立に制御する。
つぎに、これらの制御結果は第１スタンド１１での制御部分が板幅方向の板厚測定器３３に到達した時点で判明する。したがって、上記と同様の測定と制御を行う。これは板が仕上圧延機を尻抜けするまで実施する。以上が［請求項３］である。
以上の本発明により仕上圧延機の出側における板幅方向の板厚差を希望値に制御できる。
つぎに、［請求項４］について説明する。［請求項４］では図３における板幅方向の板厚差制御装置３１で、板幅全体に作用する操作端で例えばペアクロス角またはロールシフト量を用いて板幅全体に亘る板幅方向の板厚差を制御するための操作量を求め、この制御による残りの板幅方向の板厚差を板幅中央から作業側に作用する操作端と板幅中央から駆動側に作用する操作端を用いて板幅中央から作業側での板厚差と板幅中央から駆動側での板厚差とをそれぞれ独立に制御するための操作量を求める。特に、２１から２７に示した操作端のうち、ワークロールベンド力は１スタンドあたり作業側と駆動側で各々１個の油圧弁を用いて独立に操作し、圧下レベリングは作業側と駆動側で独立に操作する。
まず、トランスファーバー１８を仕上圧延機１１から１７に通板し、板幅方向の板厚測定器３３で板幅方向の板厚を測定する。板幅方法の板厚差制御装置３１では以下の演算をする。まず、［請求項１］で述べた各スタンドにおける板幅方向
2009000742.tif 000036
ンドで、
2009000742.tif 000037
の評価式を定義する。ここで、ｉは１から７である。これは板幅全体に作用する操作端で例えばペアクロス角またはロールシフト量などの操作端の操作量を求めるものである。
2009000742.tif 000038
より、板幅全体に作用する操作端で例えばペアクロス角またはロールシフト量な
2009000742.tif 000039
ば、
2009000742.tif 000040
となる。
（８）式で求めた仕上圧延機出側における板幅方向の板厚差誤差、ΔＣ７，ｊから（３４）
2009000742.tif 000041
に作用する操作端で例えばペアクロス角またはロールシフト量などの操作端の操作量による制御分を差し引いた残りである。
これを新しい仕上圧延機出側における板幅方向の板厚差誤差として、［請求項１］と［請求項３］の方法を同様に用いて、仕上圧延機の各スタンドにおける作業側と駆動側それぞれのワークロールベンド力、圧下レベリング量の操作量およびワークロール直径の操作量を求めることができる。
以上で求めた操作量を各々各スタンドの操作端２１から２７に印加して、板幅方向の板厚差を作業側と駆動側とでそれぞれ独立に制御する。
つぎに、これらの制御結果は第１スタンド１１での制御部分が板幅方向の板厚測定器３３に到達した時点で判明する。したがって、上記と同様の測定と制御を行う。これは板が仕上圧延機を尻抜けするまで実施する。以上が［請求項４］である。
以上の本発明により仕上圧延機の出側における板幅方向の板厚差を希望値に制御できる。
【発明の効果】
【０００７】  ホットストリップミルの仕上圧延機（タンデムミル）において、出側に板幅方向の板厚測定器を設置して、圧延中に仕上圧延機の出側における板クラウン誤差をなくすように各スタンドの操作端を操作して、板クラウンを制御することが、従来技術として資料１から５に記載されている。これらの従来技術は板クラウン、つまり板幅中央と作業側板幅端と駆動側板幅端の３点に対する制御であった。また、従来技術では板クラウン制御において、仕上圧延機のスタンド間で板平坦度を良好にすることは述べられていない。また、従来技術では板幅中央から作業側と板幅中央から駆動側とでそれぞれ独立に板クラウンを制御することは述べられていない。
本発明は、ホットストリップミルの仕上圧延機（タンデムミル、）において、出側に板幅方向の板厚測定器を設置して、圧延中に仕上圧延機の出側において板幅方向で板幅を多数に等分（例えば、板幅が１５００（ｍｍ）の時、２０（ｍｍ）毎に７５等分）して、それぞれの板厚差つまり板幅方向の中央との板厚差を希望値に制御する技術を提供する。特に、仕上圧延機の出側における板幅方向の板厚差誤差を各スタンド間で板平坦度が良好になるように各スタンドに分配する。これを板幅方向の板厚差遺伝係数を用いて、各スタンドでの板幅方向の板厚差制御量を求める。また、板幅方向で板幅全体として、板幅方向の板厚差を制御するための各スタンドにおける操作量を求めて板幅方向の板厚差を制御する方法を提供する。さらに、板幅中央から作業側における板幅方向の板厚差と板幅中央から駆動側における板幅方向の板厚差とを、それぞれ独立に制御する方法を提供する。
このように本発明により、板幅方向の多数の等分割点における板厚差（板幅方向の板厚差）を制御できるとともに、正確で精密な制御ができる。
【図面の簡単な説明】
【図１】は、従来技術の板クラウンを定義する図
【図２】は、本発明に係わる板幅方向に多数に等分した各等分部分の板厚を示す図。作業側から駆動側に向かって、ｊは１から２Ｎの番号となっている。
【図３】は、本発明に１実施構成例を示す図である。ホットストリップミル仕上圧延機１１から１７と出側の板幅方向の板厚測定器３３、圧延命令２８、ミル設定計算２９、形状設定計算３０および本発明に係わる板幅方向の板厚差制御装置３１、板幅方向の板厚差操作端２１から２７などの関係を示している。
【符号の説明】
１は、板幅方向中央部の板厚。
２は、作業側の板幅端部の板厚。
３は、駆動側の板幅端部の板厚。
４は板幅。
５は圧延方向。
６は板の断面を示す。
１１から１７はホットストリップミル仕上圧延機の各スタンド。
１８は仕上圧延機の入側板でトランスファーバー。
１９は仕上圧延機の出側板。
２１から２７は板幅方向の板厚差制御操作端で、板幅全体に作用する操作端で例えばペアクロス角またはロールシフト、ワークロールベンド力、圧下レベリング、ロールの局部冷却などを操作する。
２８は圧延命令。
２９はミル設定計算。
３０は形状設定計算。
３１は板幅方向の板厚差制御装置。
３２は形状設定計算結果を操作端に印加するもの。
【図１】
2009000742.tif 000042
【図２】
2009000742.tif 000043
【図３】
2009000742.tif 000044